(57)【要約】【課題】ディスクの回転流によって生じるヘッドの位置決め誤差を低減しつつも，高い塵埃捕集性能を有する磁気ディスク装置を提供する。【解決手段】磁気ディスク装置２０は，磁気ディスク１と，スピンドルモータ１３と，磁気ヘッド１２と，磁気ヘッドを支持するアーム１１と，磁気ディスクの外周を取り囲む筐体シュラウド面５ａと，筐体シュラウド面５ａより磁気ディスク１の径方向であって外側に設けられた塵埃を捕集するフィルタ１０と，気体をフィルタ１０へ流入させる筐体シュラウド面５ａに設けられたフィルタ流路５ｅと，磁気ディスク１の外周端よりも内周側に挿入されるプレート状構造物７と，これらを格納する筐体ベース５と筐体カバーとを備える。プレート状構造物７は，フィルタ流路の気体の流入口部分に空隙部７ａを備え，空隙部の回転流上流に位置する前縁７ｂが，フィルタ流路入口５ｂの開口部の前縁５ｆよりも回転流上流側にある構造を有する。【選択図】図２Ａ
2010244628.tif 000002
【特許請求の範囲】
【請求項１】
一枚以上の円盤状の磁気ディスクと，
前記磁気ディスクを回転駆動させるスピンドルモータと，
前記磁気ディスクの磁気情報を読み書きする磁気ヘッドと，
前記磁気ヘッドを支持するアームと，
前記磁気ディスクの外周を取り囲む筐体シュラウド面と，
前記筐体シュラウド面より外側に設けられた塵埃を捕集するフィルタと，
前記磁気ディスクの回転によって生じる気流を前記フィルタへ導く前記筐体シュラウド面に設けられたフィルタ流路と，
前記磁気ディスクの外周端よりも内周側に面して配置される一枚以上のプレート状構造物と，
これらを格納する筐体ベースと筐体カバーとを備えた磁気ディスク装置において，
前記プレート状構造物はその外周部であって，前記フィルタ流路の入口部分に空隙部を備え，該空隙部の回転流上流に位置する前縁が，前記フィルタ流路の入口部分の前縁よりも回転流上流側にあることを特徴とする磁気ディスク装置。
【請求項２】
請求項１記載の磁気ディスク装置において，前記プレート状構造物の空隙部の回転流下流に位置する後縁が，前記フィルタ流路の入口部分の前縁よりも回転流下流側であり，かつ前記フィルタ流路の入口部分の後縁よりも回転流上流側にあることを特徴とする磁気ディスク装置。
【請求項３】
請求項１または２記載の磁気ディスク装置において，前記プレート状構造物の空隙部の前縁に，後縁に向かって厚さが薄くなるテーパー部を有することを特徴とする磁気ディスク装置。
【請求項４】
請求項１乃至３の何れかに記載の磁気ディスク装置において，前記プレート状構造物の空隙部の後縁が，前記磁気ディスクの径方向に設けられていることを特徴とする磁気ディスク装置。
【請求項５】
請求項１記載の磁気ディスク装置において，前記プレート状構造物は，前記磁気ディスク間に配置されることを特徴とする磁気ディスク装置。
【請求項６】
請求項１記載の磁気ディスク装置において，前記プレート状構造物は，前記筐体カバーと前記磁気ディスクの間，前記磁気ディスク間，前記磁気ディスクと前記筐体ベースの間に配置されることを特徴とする磁気ディスク装置。
【請求項７】
請求項１記載の磁気ディスク装置において，前記プレート状構造物は，前記磁気ディスクの半周以上を覆っていることを特徴とする磁気ディスク装置。
【請求項８】
請求項１記載の磁気ディスク装置において，前記プレート状構造物は，前記アームの動作範囲以外の前記磁気ディスクの面を覆っていることを特徴とする磁気ディスク装置。
【請求項９】
一枚以上の円盤状の磁気ディスクと，
前記磁気ディスクを回転駆動させるスピンドルモータと，
前記磁気ディスクの磁気情報を読み書きする磁気ヘッドと，
前記磁気ヘッドを支持するアームと，
前記磁気ディスクの外周を取り囲む筐体シュラウド面と，
前記筐体シュラウド面より外側に設けられた塵埃を捕集するフィルタと，
前記磁気ディスクの回転によって生じる気流を前記フィルタへ導く前記筐体シュラウド面に設けられたフィルタ流路と，
前記磁気ディスクの外周端よりも内周側に面して配置される一枚以上のプレート状構造物と，
これらを格納する筐体ベースと筐体カバーとを備えた磁気ディスク装置において，
前記プレート状構造物は，前記フィルタ流路の入口内部への延在部を有し，該延在部は気流の下流方向に厚さが薄くなるテーパー部を有することを特徴とする磁気ディスク装置。
【請求項１０】
請求項９記載の磁気ディスク装置において，前記プレート状構造物は，前記磁気ディスク間に配置されることを特徴とする磁気ディスク装置。
【請求項１１】
請求項９記載の磁気ディスク装置において，前記プレート状構造物は，前記筐体カバーと前記磁気ディスクの間，前記磁気ディスク間，前記磁気ディスクと前記筐体ベースの間に配置されることを特徴とする磁気ディスク装置。
【請求項１２】
請求項９記載の磁気ディスク装置において，前記プレート状構造物は，前記磁気ディスクの半周以上を覆っていることを特徴とする磁気ディスク装置。
【請求項１３】
請求項９記載の磁気ディスク装置において，前記プレート状構造物は，前記アームの動作範囲以外の前記磁気ディスクの面を覆っていることを特徴とする磁気ディスク装置。
【発明の詳細な説明】
【技術分野】
【０００１】
本発明は，磁気ディスク装置に係り，特に磁気ディスク装置内の塵埃の捕集機構に関する。
【背景技術】
【０００２】
一般的に，磁気ディスク装置においては，一枚以上の円盤状の磁気ディスクを有し，それらをスピンドルモータによって回転駆動する構造となっている。また，磁気ディスクの磁気情報を読み書きする磁気ヘッドは，アームによって支持され，アクチュエータによって駆動されることで所望のトラック上にアクセスし，データの読み書きが可能となっている。
【０００３】
磁気ディスク装置内に存在する塵埃は，磁気ディスクの回転によって生じる気流にのって筐体内を飛散しているが，磁気ディスク表面に沈着したり，あるいは磁気ディスクとスライダの隙間に入り込んだりすることによって，スライダの浮上不安定，ヘッドクラッシュ，磁気ディスクの損傷などの原因となりうる。そのため，一般的に，磁気ディスク装置内が清浄な状態に保たれるように，塵埃を捕集するフィルタあるいは吸着剤が磁気ディスク装置内に設置されている。その中でも，２．５型（２．５インチ）磁気ディスク装置や３．５型（３．５インチ）磁気ディスク装置など，中・大型の磁気ディスク装置においては，磁気ディスクの回転により引き起こされる気流を利用して，回転する磁気ディスクの外周を取り囲むシュラウドよりも外側に設置されたフィルタによって，塵埃を捕集することが多い。
【０００４】
一方で，磁気ディスクの回転に伴う高速回転流は，流体起因振動と呼ばれるディスクやアームといった構造物の振動を引き起こす。流体起因振動は，ヘッドの位置決め誤差を生じる主要因になっており，磁気ディスク装置の高密度化，高速化の障害となる。そのため，磁気ディスク装置内部の流速を抑制し，流体起因振動を低減することを目的として，磁気ディスク間，あるいは磁気ディスクとトップカバーの間などに，プレート状の構造物を挿入することが多い。
【０００５】
しかしながら，ディスク外周を広範囲に覆うプレートを設置すると，フィルタ流路入口が塞がれてしまうため，磁気ディスク装置の塵埃捕集性能が低下してしまうという問題がある。
【０００６】
プレート状構造物と，塵埃捕集に係る先行技術文献としては,例えばディスク間整流板等によってフィルタ流量を増大させる特許文献１が挙げられる。
【先行技術文献】
【特許文献】
【０００７】
【特許文献１】特開昭６２−８８１９５号公報
【発明の概要】
【発明が解決しようとする課題】
【０００８】
しかし，特許文献１に記載されるディスク間整流板は，磁気ディスクの広範囲を覆うことはできず，前述した流体起因振動の低減効果は大きくない。
一方で，前述したように，磁気ディスクを広範囲に覆うプレートを設置すると，フィルタ流路入口が部分的に塞がれてしまうため，磁気ディスク装置の塵埃捕集性能が低下してしまうという問題がある。
【０００９】
本発明の目的は，ディスクの回転流によって生じるヘッドの位置決め誤差を低減しつつも，高い塵埃捕集性能を有する磁気ディスク装置を提供することにある。
【課題を解決するための手段】
【００１０】
上記目的を達成するために，本発明の磁気ディスク装置においては，
一枚以上の円盤状の磁気ディスクと，
前記磁気ディスクを回転駆動させるスピンドルモータと，
前記磁気ディスクの磁気情報を読み書きする磁気ヘッドと，
前記磁気ヘッドを支持するアームと，
前記磁気ディスクの外周を取り囲む筐体シュラウド面と，
前記筐体シュラウド面より外側に設けられた塵埃を捕集するフィルタと，
前記磁気ディスクの回転によって生じる気流を前記フィルタへ導く前記筐体シュラウド面に設けられたフィルタ流路と，
前記磁気ディスクの外周端よりも内周側に面して配置される一枚以上のプレート状構造物と，
これらを格納する筐体ベースと筐体カバーとを有し，
前記プレート状構造物はその外周部であって，前記フィルタ流路の入口部分に空隙部を備え，該空隙部の回転流上流に位置する前縁が，前記フィルタ流路の入口部分の前縁よりも回転流上流側にあることを特徴とする。
【００１１】
前記プレート状構造物の空隙部の回転流下流に位置する後縁が，前記フィルタ流路の入口部分の前縁よりも回転流下流側であり，かつ前記フィルタ流路の入口部分の後縁よりも回転流上流側にあることが望ましい。
【００１２】
前記プレート状構造物の空隙部の前縁に，後縁に向かって厚さが薄くなるテーパー部を有することが望ましい。
【００１３】
前記プレート状構造物の空隙部の後縁が，前記磁気ディスクの径方向に設けられていることが望ましい。
【００１４】
前記プレート状構造物は，前記磁気ディスク間に配置されることが望ましい。
【００１５】
また，前記プレート状構造物は，前記筐体カバーと前記磁気ディスクの間，前記磁気ディスク間，前記磁気ディスクと前記筐体ベースの間に配置されても良い。
【００１６】
前記プレート状構造物は，前記磁気ディスクの半周以上を覆っていることが望ましい。
【００１７】
また，前記プレート状構造物は，前記アームの動作範囲以外の前記磁気ディスクの面を覆っていることが望ましい。
【００１８】
上記目的を達成するために，本発明の磁気ディスク装置においては，
一枚以上の円盤状の磁気ディスクと，
前記磁気ディスクを回転駆動させるスピンドルモータと，
前記磁気ディスクの磁気情報を読み書きする磁気ヘッドと，
前記磁気ヘッドを支持するアームと，
前記磁気ディスクの外周を取り囲む筐体シュラウド面と，
前記筐体シュラウド面より外側に設けられた塵埃を捕集するフィルタと，
前記磁気ディスクの回転によって生じる気流を前記フィルタへ導く前記筐体シュラウド面に設けられたフィルタ流路と，
前記磁気ディスクの外周端よりも内周側に面して配置される一枚以上のプレート状構造物と，
これらを格納する筐体ベースと筐体カバーとを有し，
前記プレート状構造物は，前記フィルタ流路の入口内部への延在部を有し，該延在部は気流の下流方向に厚さが薄くなるテーパー部を有することを特徴とする。
【００１９】
前記プレート状構造物は前記磁気ディスク間に配置され，前記アームの動作範囲以外の前記磁気ディスクの面を覆っていることが望ましい。
【発明の効果】
【００２０】
かかる本発明によれば，ディスクの回転流によって生じるヘッドの位置決め誤差を低減しつつも，高い塵埃捕集性能を有する磁気ディスク装置を提供することができる。
【図面の簡単な説明】
【００２１】
【図１】本発明の第１の発明の実施例１に係る磁気ディスク装置のトップカバーおよびトップディスクを外した状態の斜視図である。
【図２Ａ】図１の磁気ディスク装置のフィルタ流路近傍の平面図である。
【図２Ｂ】図１の磁気ディスク装置のプレート状構造物空隙付近の縦断面図である。
【図２Ｃ】図２ＡのＡ−Ａ’断面図である。
【図３】比較例１の磁気ディスク装置のフィルタ流路近傍の平面図である。
【図４】比較例２の磁気ディスク装置のフィルタ流路近傍の平面図である。
【図５】比較例１，比較例２，および本発明の第１の発明の実施例１から実施例３までのフィルタ流量の計算結果を示す図である。
【図６】本発明の第１の発明の実施例２による磁気ディスク装置のフィルタ流路近傍の平面図である。
【図７Ａ】本発明の第１の発明の実施例３による磁気ディスク装置のフィルタ流路近傍の平面図である。
【図７Ｂ】図７Ａの磁気ディスク装置の，プレート状構造物およびスピンドルモータのみを示した斜視図である。
【図８Ａ】本発明の第２の発明である実施例４の磁気ディスク装置のフィルタ流路近傍の平面図である。
【図８Ｂ】図８Ａの磁気ディスク装置の，プレート状構造物およびスピンドルモータのみを示した斜視図である。
【図９】比較例１および実施例４のフィルタ流量の計算結果を示す図である。
【発明を実施するための形態】
【００２２】
以下，本発明の第１の発明の実施例を図面を用いて説明する。各実施例の図面における同一符号は，同一物または相当物を示す。
【００２３】
（実施例１）
実施例１の磁気ディスク装置について，図１および図２Ａ〜Ｃを用いて概要を説明する。図１は，実施例１の磁気ディスク装置２０の斜視図である。図２Ａは，フィルタ流路５ｅ周辺の部分拡大図，図２Ｂは図２Ａにおけるプレート状構造物空隙部７ａ付近の縦断面図，図２Ｃは図２ＡにおけるＡ−Ａ′線断面図である。ただし，図１および図２Ａは，磁気ディスク２０の内部を視認しやすいように，筐体カバー６および筐体カバー６に最も近い磁気ディスクであるトップディスクを外した状態である。
【００２４】
磁気ディスク装置２０は，磁気ディスク１と，磁気ディスク装置２０内の塵埃を捕集するフィルタ１０と，情報の読み書きを行う磁気ヘッド１２と，磁気ヘッド１２を支持するアーム１１と，磁気ディスク１を回転駆動させるスピンドルモータ１３（図２Ｂ参照）と，プレート状構造物７を主要構成要素として構成されている。また，これらを格納する筐体ベース５および筐体カバー６によって，内部は密閉空間となっている。
【００２５】
図２Ｂに示すように，本実施例においては，磁気ディスク１は３枚から構成されている。磁気ディスク１の間には，磁気ディスク１が一定間隔で積層されるように，ディスクスペーサ３が設置されている。また，磁気ディスク１およびディスクスペーサ３は，筐体カバー６に最も近い磁気ディスクであるトップディスクの上部において，ディスククランプ２によってスピンドルモータ１３にねじ止めされている。本実施例では，磁気ディスク１は反時計回りに７２００ｍｉｎ−１で回転しており，装置内では図１に矢印で示しているように空気流が発生している。
【００２６】
図１および図２Ａに示すように，筐体ベース５は，磁気ディスク１の外周を取り囲む筐体シュラウド面５ａと，筐体シュラウド面５ａより外部に設けられたフィルタ流路５ｅを備えている。筐体シュラウド面５ａは，全周に対して欠損部５ｂ，５ｃ，５ｄを有する。シュラウド欠損部５ｂは，フィルタ流路５ｅの気流入口となっており，磁気ディスク１の回転によって生じた回転流によって気体が流れ込んでいる。フィルタ流路５ｅに流れ込んだ気体は，フィルタ１０を通過し，シュラウド欠損部５ｃにより形成されるフィルタ流路出口から，筐体シュラウド５ａの内周にある磁気ディスク１側に流出する。気流がフィルタ１０を通過する際に，フィルタ１０によって気流中の塵埃は捕集され，これによって磁気ディスク装置２０内部は清浄な状態に保たれる。ここで，フィルタ１０は，帯電性の繊維状材料からなるエレクトレットフィルタでもよく，非帯電性の樹脂材料や繊維状材料からなるフィルタであってもよい。また，シュラウド欠損部５ｄを通しては，アーム１１が磁気ディスク１の間に挿入されている。
【００２７】
磁気ディスク１の間には,回転流に対する抵抗体としてプレート状構造物７が挿入されている。プレート状構造物７によって，磁気ディスク間の流速が抑えられ，またアーム１１に衝突する気流が緩和するため，磁気ディスク１およびアーム１１の流体起因振動が抑制され，その結果，位置決め誤差が低減する効果がある。なお，気体の流速は磁気ディスク１の外周側でより高速になる傾向があるので，プレート状構造物７は，磁気ディスク１の外周を覆う形状が望ましい。また，実際は消費電力や耐衝撃性，コストなどの問題があるため，許容できる範囲内で設計されるが，流速低減効果をより大きくするためには，磁気ディスク１を覆う面積が広範囲な事が望ましい。したがって，アーム１１の動作範囲を除いて，磁気ディスク１の半周以上を覆うことが望ましい。
【００２８】
なお，本実施例では，磁気ディスク１は３枚としたが，本発明は磁気ディスク１の枚数に制限があるものではなく，１枚あるいは３枚以外の複数枚であっても良い。磁気ディスクの回転数は，２４００ｍｉｎ−１から１５０００ｍｉｎ−１が使用されることが多いが，それ以下でもそれ以上でもよい。また，プレート状構造物７は，磁気ディスク１の間に設置されるものに限られるものではなく，トップディスクと筐体カバー６の間，あるいはボトムディスクと筐体ベース５の間に設置されていてもよい。
【００２９】
図２Ａに示すように，磁気ディスク１の回転方向を下流方向，その逆方向を上流方向としたとき，筐体シュラウド欠損部５ｂの上流側エッジをフィルタ流路入口前縁５ｆ，筐体シュラウド欠損部５ｂの下流側エッジをフィルタ流路入口後縁５ｇと定義する。
【００３０】
以上のような磁気ディスク装置において，本実施例におけるプレート状構造物７は，フィルタ流路５ｅの入口部分に，以下のような，気流をフィルタ流路内に導く気流誘導構造を有している。気流誘導構造は，プレート状構造物７の，その最外周部分であって，かつフィルタ流路の気体の流入口部分に，空隙部７ａを有するものである。ここで，当該空隙部７ａの回転流上流側に位置するエッジを空隙前縁７ｂ，当該空隙部７ａの回転流下流側に位置するエッジを空隙後縁７ｃと定義する。本実施例における気流誘導構造においては，上記のように定義された空隙前縁７ｂは，フィルタ流路入口前縁５ｆよりも上流側に位置している。
【００３１】
次に，上記のような気流誘導構造の作動原理に関して説明する。図２Ｃに示すように，プレート状構造物７が，空隙部７aを有する場合，磁気ディスク１の回転によって生じた気流によって，空隙前縁７ｂの下流では，流れが剥離し圧力の低い領域が形成される。一方，空隙後縁７ｃには気流が衝突するため，空隙後縁７ｃの上流では，高圧領域が形成される。フィルタ１０による塵埃捕集性能を高めるためには，フィルタ１０を流れる気体の流量を大きくすることが望ましい。そのためには，フィルタ１０の上流の圧力を高くし，フィルタ１０前後の圧力差を大きくすると，効果的である。本実施例においては，まず，プレート状構造物７に空隙部７ａを設けることで，実効的なフィルタ流路入口断面積を大きくするとともに，空隙前縁７ｂを，フィルタ流路入口前縁５ｆよりも上流側に位置させることで，低圧領域の影響を低減し，フィルタ流路入口において圧力が低下するのを防いでいる。さらに，空隙後縁７ｃに気流を衝突させることで，フィルタ流路入口に高圧領域を形成している。
【００３２】
このような構造により，フィルタ前後の圧力差は大きくなり，その結果磁気ディスク装置２０の塵埃捕集性能が向上する効果がある。
【００３３】
本実施例の効果を，流体解析により調べた結果を，図３から図５を用いて説明する。計算系は，３枚の磁気ディスクと，磁気ディスク間に設けられた２枚のプレート状構造物から構成した。磁気ディスクの厚さは１．７５ｍｍ，ディスク直径は９５ｍｍ，ディスク間隔は２ｍｍ，プレート状構造物の厚さは１．２ｍｍとした。プレート状構造物は，実施例１，および後述する実施例２から実施例４までと同様な形状と，図３および図４に比較例として示す形状を用いた。図３はプレート状構造物に空隙や延在部を有しない場合であり，図４はプレート状構造物に空隙を有するが，フィルタ流路入口前縁５ｆとプレート状構造物の空隙前縁７ｂ，フィルタ流路入口後縁５ｇとプレート状構造物の空隙後縁７ｃの磁気ディスク周方向位置がそれぞれ一致している場合である。ただし，図３および図４では，筐体カバー６および筐体カバー６に最も近い磁気ディスクであるトップディスクを省略してある。便宜上，図３に示す例を比較例１，図４に示す例を比較例２と呼ぶ。
【００３４】
図５は，比較例１，比較例２，実施例１，後述する実施例２および実施例３の各計算系において，フィルタを通過した気体の流量を，比較例１を１として規格化して示している。フィルタを通過する流量が大きいほど，フィルタによる塵埃捕集性能が高いことを示す。
【００３５】
図５から分かるように，まず，比較例１と比較して，比較例２の方がフィルタ流量が大きい。これは，プレート状構造物に空隙を設けることにより，実効的なフィルタ流路入口の面積が大きくなり，気体が多く流れ込んだことによる。一方，実施例１におけるフィルタ流量は，比較例１および比較例２よりも大きい。この結果から示されるように，空隙前縁によって形成される低圧領域を，フィルタ流路入口前縁よりも上流に移動させることによって，フィルタ上流における圧力が大きくなり，フィルタ流量が大きくなる効果があることが分かる。
【００３６】
（実施例２）
次に，第１の発明の実施例２について図６を用いて説明する。図６は，筐体カバー６および筐体カバーに最も近い磁気ディスクであるトップディスクを外した状態である。本実施例においては，プレート状構造物７の空隙部７ａの空隙前縁７ｂは実施例１と同じ位置であるが，空隙後縁７ｃは，フィルタ流路入口前縁５ｆよりも下流側であり，かつフィルタ流路入口後縁５ｇよりも上流側に位置している。
【００３７】
このような構造により，プレート状構造物の空隙部７ａの空隙後縁７ｃによって形成される高圧領域が，フィルタ流路入口の中央に位置するため，圧力上昇効果が大きくなり，磁気ディスク装置２０の塵埃捕集性能が向上する効果がある。
【００３８】
図５に示した解析結果を用いて，実施例２の効果に関して調べた結果を説明する。図５より，実施例２は，比較例１，比較例２，さらには実施例１よりもフィルタ流量が大きいことが分かる。ここで，実施例１と実施例２の空隙前縁７ｂは，同じ位置としている。すなわち，実施例２のように，後縁位置を上述した位置に移動させ，高圧領域をフィルタ流路入口の中央に位置することにより，フィルタ流量を大きく増加させる効果があることが分かる。
【００３９】
（実施例３）
次に，第１の発明の実施例３について図７Ａおよび図７Ｂを用いて説明する。図７Ａは本実施例のフィルタ流路５ｅ近傍の平面図，図７Ｂは斜視図である。ただし，図７Ａでは，筐体カバー６および筐体カバーに最も近い磁気ディスクであるトップディスクを省略してあり，図７Ｂでは，プレート状構造物７およびスピンドルモータ１３以外は省略してある。本実施例においては，空隙部７ａを設ける位置は，実施例２と同じであるが，空隙前縁７ｂに，回転流の方向に沿って（後縁７ｃに向かって）プレート状構造物７の厚さが薄くなるようなテーパー部７ｄが設けられている。
【００４０】
このような構造においては，テーパー部７ｄによって，空隙前縁７ｂの下流における気流の剥離が抑制され，圧力の低下が抑えられる。また，気流はテーパー部７ｄによって整流された後に空隙後縁７ｃに衝突するため，当該後縁７ｃにおける圧力上昇が大きくなる。このような結果，磁気ディスク装置２０の塵埃捕集性能が向上する効果がある。
【００４１】
図５に示した解析結果からも，実施例３の効果が確認できる。本実施例は，前述したように，実施例２に加えて，空隙前縁にテーパー部を備えた形状であるが,テーパー部によってさらにフィルタ流量を大きくする効果があることが分かる。
【００４２】
なお，実施例１から実施例３までは，空隙前縁７ｂおよび空隙後縁７ｃは，磁気ディスク１の径方向としたが，本発明はこの形態に限定されるものではない。空隙前縁７ｂや空隙後縁７ｃは，磁気ディスク１の径方向に対して斜め方向に設けられていてもよい。
【００４３】
（実施例４）
次に本発明の第２の発明を実施例４として図８Ａおよび図８Ｂを用いて説明する。図８Ａは本実施例のフィルタ流路５ｅ近傍の平面図，図８Ｂは斜視図である。ただし，図８Ａでは，筐体カバー６および筐体カバーに最も近い磁気ディスクであるトップディスクを省略してあり，図８Ｂでは，プレート状構造物７およびスピンドルモータ１３以外は省略してある。
【００４４】
本実施例においては，プレート状構造物７は，気流誘導構造として，フィルタ流路５ｅ内部への延在部７ｅを有しており，また当該延在部７ｅには気体の下流方向に沿ってプレート状構造物７の厚さが薄くなるようなテーパー部７ｆが形成されている。
【００４５】
このような構造においては，延在部７ｅを設けることによって，フィルタ流路入口に位置するプレート状構造物７の外周端での流れの剥離や圧力の低下を抑制することができる。その結果，フィルタ１０の上流で高圧を達成することが可能となり，塵埃捕集性能が向上する効果がある。
【００４６】
図９は，空隙や延在部がない比較例１と，プレート状構造物に延在部を設けた実施例４とで，解析によりフィルタ流量を比較したグラフである。比較例１と比較して，実施例４でフィルタ流量が大きくなっていることが分かる。なお，上記構成では，延在部７ｅにテーパー部７ｆが形成されている例について説明したが，テーパー部７ｆを形成しない場合でも，比較例１よりもフィルタ流量を大きくすることができる。
【００４７】
以上の実施例が示すように，プレート状構造物の空隙前縁が，フィルタ流路入口前縁よりも上流に位置する時に塵埃捕集性能は大きく，また，プレート状構造物の空隙後縁がフィルタ流路入口前縁よりも下流であり，かつフィルタ流路入口後縁よりも上流であるときに，効果は大きくなることが分かる。また，当該空隙前縁にテーパーを設けると，さらに効果は大きくなる。また，プレート状構造物にフィルタ流路内部への延在部を設け，テーパー状にすることによっても，延在部を設けない場合よりも塵埃捕集性能が高くなる効果があることが分かる。
【産業上の利用可能性】
【００４８】
本発明は，磁気ディスク装置に利用することで効果を発揮するものである。
【符号の説明】
【００４９】
１…磁気ディスク，
２…ディスククランプ，
３…ディスクスペーサ，
５…筐体ベース，
５ａ…筐体シュラウド面，
５ｂ…筐体シュラウド欠損部（フィルタ流路入口），
５ｃ…筐体シュラウド欠損部（フィルタ流路出口），
５ｄ…筐体シュラウド欠損部（アーム挿入口），
５ｅ…フィルタ流路，
５ｆ…フィルタ流路入口前縁，
５ｇ…フィルタ流路入口後縁，
６…筐体カバー，
７…プレート状構造物，
７ａ…空隙部，
７ｂ…空隙前縁，
７ｃ…空隙後縁，
７ｄ…テーパー部，
７ｅ…延在部，
７ｆ…テーパー部，
１０…フィルタ，
１１…アーム，
１２…磁気ヘッド，
１３…スピンドルモータ，
２０…磁気ディスク装置。
【図１】
2010244628.tif 000003
【図２Ａ】
2010244628.tif 000004
【図２Ｂ】
2010244628.tif 000005
【図２Ｃ】
2010244628.tif 000006
【図３】
2010244628.tif 000007
【図４】
2010244628.tif 000008
【図５】
2010244628.tif 000009
【図６】
2010244628.tif 000010
【図７Ａ】
2010244628.tif 000011
【図７Ｂ】
2010244628.tif 000012
【図８Ａ】
2010244628.tif 000013
【図８Ｂ】
2010244628.tif 000014
【図９】
2010244628.tif 000015